(57)【要約】      （修正有）【課題】もっと効率よく貴重な時間を有効に使い、楽をして楽しく魚を捕まえる釣り竿装置を提供する。【解決手段】大きさの異なる軽く頑丈で丸い輪１，２を網籠の骨格にあたる骨部とする。その下部に位置する輪２の外周底辺と上部に位置する輪１の側面外周を丈夫で魚が潜ることのできない無色透明の細かい網３を取り付け天井は魚が大量に入るように開放したままの網籠を形成する。次に解放されている上部の大きな輪の中心線を基準とし、それぞれの対角線に４箇所ほど無色透明のテングスまたは細い無色透明のロープ４で籠の上部外周に取り付け、４箇所の中心から１本の無色透明ロープ又はやや太めのテングス５を釣竿の先端に取り付けるか、又は釣竿を経由して手元のリールにセットし、もう一方の透明の細いロープを籠に取り付け、釣り竿で吊るし下げて海面に沈めておく。【選択図】図１
2015080475.tif 000002
【特許請求の範囲】
【請求項１】
本願は、発明の名称でもそのすべての構造原理が凝縮され、且つ図１、図２、の写真でも理解できるように、大きさの異なる軽く頑丈な丸い輪の２個を網籠の骨格となる骨部とする。その下部に位置する（小さい輪）輪の外周底辺と上部に位置する（大きい輪）の側面外周を丈夫で魚が潜ることができない無色透明の麼目の網を取り付け天井は魚が大量に入るように開放したままの網籠を形成する。次に網籠を釣り上げるべき紐が必要なので上部の大きい輪の４箇所から中心線でバランスが取れるように無色透明のやや太めのテングスまたは細いロープ等を充分な余裕を持って取り付ける。次に４箇所の中心線のバランスを取れた位置で１箇所にまとめて一本にする。次にやや太めの丈夫な透明のテングスまたは細い丈夫な透明のロープの一方を釣竿の先端、又は釣り竿の先端を経由して釣竿の手元リールに接続し、もう１方の端を籠の中心部の紐に接続し釣り竿で籠を吊り下げて海面に沈めておく、その吊り下げられている籠の上部に餌をばらまけば海中には魚が群れをなして泳いでいるので、その餌に食い付こうと我先と群れをなして集まるので、そのタイミングを見計らって釣竿を一気に吊り上げれば網の中には大量の魚が溢れてかえって釣り上げられるので極めて爽快で楽しい、なお船で漁獲をする場合は沖で停泊して行うので釣り竿は短い方が網籠に魚が入ってくる目視点検が容易であり、釣竿もしなやかさ等よりも軽く頑丈で短い構造のほうが操作も簡単であり都合が良い。以上のような構造原理のした装置を「釣竿活用網籠で一網打尽」と命名して、本日ここに発表する。
【発明の詳細な説明】
【技術分野】
【０００１】本発明は、発明の名称でもその全ての構造原理が凝縮されており、図面で提示した図１、図２の写真でも理解できるように、一本釣りの竿で魚を大量に捕らえることのできるという発明であり以下にわたって説明する。現在、港湾などで釣りをするときは、釣り竿の糸（テングス）の先の針に魚が好む餌を刺して、魚が餌に食いついたら一匹ずつ釣り上げているのが現実である。しかしこのような方法では魚の大群が目の前をいても、たった一個の餌などに魚が気づかないことなどは日常茶万事であり、釣りをする人達はじっと釣り竿の先にあるたった一個の「浮き」で餌の食い付きに全神経を集中して、貴重な時間を浪費しているのが現実である。このような非効率で貴重な時間を費やしている気の毒な人達の姿をみるたびになんとか助けてやる方法ないかと本発明者は日夜研究を重ねた。そこで上部を解放し、あとの側面と底部を魚が逃げられない透明の網で囲った大きな籠を作り、其の籠を釣竿で吊り下げて海に沈め、その籠の上に餌をばらまけば魚が集まるのではないだろうかという結論に達した。そこで簡単な網籠で試験してみたところ籠が満タンに成るほど魚が取れた、同じことを数回試みたが結果は同じく満タンの魚が水揚げされた。これは特許になると確信したので急いで特許出願をしたのである。そこで正式な網籠を製作して結果を試みたが結果は同様で大量の魚を水揚げすることができた。先ず網を籠状にするには、図１、図２、の写真でも理解できるように、上部を丸く頑丈な軽い輪を設け下部にも上部の輪よりやや小さめの頑丈な軽い輪を設ける。その２個の輪は網籠の骨格となる骨部とする。次に底部の丸い輪の外側と、上部の大きく丸い輪の外側を無色透明で魚が逃げることのできない穴の細かい丈夫な網を骨格である骨部に取り付け、上部が開放している網籠を形成する。次に、図１、図２、の写真で示すように上部の丸い輪の中心線を基準とし４箇所から上部で透明の細いロープ又はテングス等で充分に余裕を持って取り付け、上部丸い輪の中心線で１本にまとめた紐の一方を釣り竿の先端、又は釣り竿の先端を経由して手元のリールに取り付ける。反対側紐を網籠の中心線に設置する。次に釣り竿に吊り下げられている網籠を海面に沈めておく。次に釣り竿に吊り下げられて沈んでいる網籠の上に魚の餌をばらまけば、海中にいる魚は我先と餌に食い付こうと群れをなして集まるので、その時のタイミングを見計らって一気に釣り竿を引き上げれば網籠の中は大量の魚で溢れかえっているので極めて爽快で楽しい、なお船で漁獲をすれば、船は沖で停泊して行うので釣竿は短い方が魚が網籠に入る目視点検容易であり、釣竿もしなやかさ等よりも短く軽く頑丈な構造の方が操作は簡単で都合が良い。
【背景技術】
【０００２】
【先行技術文献】
【０００３】
【発明の概要】
【発明が解決しようとする課題】
【０００４】魚を釣りに行くには釣竿一式と針につける餌を持参して、釣り場で一匹ずつ貴重な時間を浪費しながら、乏しく釣り上げているのが現実である。このような孤独で非効率であり時間の浪費も甚だしい作業を、もっと効率よく貴重な時間を有効に使い、楽をして楽しく魚を大量に捕らえる釣り竿装置の開発が強く求められていた。
【問題を解決するための手段】
【０００５】前述の「技術分野」で申し述べた通りの構造原理であり、頑丈で軽く大きさの異なる丸い輪２個を籠の骨格となる骨部とし。その小さい丸い輪の底部並びに大きい輪の側面外周に魚が逃げられない細かく丈夫で透明の網を取り付け、上部は魚が大量に入るように開放した籠を構成し、釣り竿の先端から透明のテングスまたは細いロープ等で吊り下げた籠を海面に沈める。その籠のうえに餌をばらまけば海中に群集している魚は我先と餌に食い付こうと籠に集まってくるのでタイミングを見測って、釣竿を一気に引き上げれば魚は籠満杯で引き上げられるのでラッキーである。このような構造原理の装置を「釣竿活用網籠で一網打尽」と命名し本日ここに発表する。
【０００６】上記、解決手段により、今までのような孤独で無駄な時間の浪費の苦労を解消することができたのが本願である。
【発明の効果】
【０００７】図１、図２、の写真でも理解できるように、大きさの異なる丸い輪２個を籠の骨格となる骨部とし、その小さい丸い輪の底部並びに大きい方の丸い輪の側面外周に丈夫で魚が逃げることのできない無色透明の細かい網を取り付けた籠を形成し、やや太めの透明のテングス又は細いロープで上部の大きい丸い輪の中心部から釣り竿の先端または先端を経由して手元のリールに接続する。次に釣り竿と細い透明のロープなどで接続された網籠を海面に吊り下げる。次に海面に釣り竿で吊り下げられている網籠の上部の餌をばらまけば、海中に群れをなしている魚は我先と餌をめがけて群れをなして集まってくるのでその時のタイミングを見計らって釣り竿を一気に引き上げれば網籠の中には大量の魚が溢れかえって入っているので極めて爽快で楽しい。以上のような構造原理のした装置
【図面の簡単な説明】
【０００８】
【図１】は、本発明の網籠を釣り竿で吊し上げて、海面に沈める前の状態で、その斜視構造を示した斜視図を表した斜視写真。
【図２】は、本発明の網籠を釣り竿で吊るして、上からの平面構造を示した平面図を表した平面写真
【符号の説明】
【０００９】（１）は網籠上部に位置する大きい輪の骨格骨部、（２）は網籠底部に位置する小さい輪の骨格骨部、（３）は魚が逃げることのできない細かい目の網、（４）は網籠を４方からバランスよく引き上げるための上部の大きい輪から釣り上げている一方の透明ロープ（５）は（４）の透明ロープ４箇所をまとめて網籠がバランスが取れろ中心線で１本にして釣り竿の先端または釣り竿の先端を経由して手元リール接続、（上記の（４）及び（５）の透明のロープは写真に記録したのですが、ロープが透明の為に映らなかったので了承してください）。
【図１】
2015080475.tif 000003
【図２】
2015080475.tif 000004